(57)【要約】      （修正有）【課題】難聴者が家族の団欒や友達の輪中において、円滑なコミュニケーションが図れるように、常時装着型ではなく難聴者自身の判断で使用できる補聴支援機器を提供する。【解決手段】マイクロフォンを備えた送信部１と、アンプ及びスピーカーを備えた受信部２からなる。送信部のマイクロフォンによって収集される音は無線電波によって受信部に送信され、アンプによって音量が増幅されたうえ、スピーカーを通して難聴者に聴取される。電波は、周波数の選択が可能なＦＭ電波で、送信部と受信部には、それぞれ、電源スイッチ、電池残量を示すＬＥＤ、周波数選択のためのチャンネル及びアンテナが設置されている。また、送信部の底面には遮音マットを設けてある。送信部はテーブルの中央に置くため、装飾用のインテリアカバーを何種類か準備しておくこともできる。受信部は指で挟める突起部を有し、高齢者でも持ち易く、軽量で扱いやすい構造となる。【選択図】図１
0003188273.tif 000002
【実用新案登録請求の範囲】
【請求項１】
難聴者のコミュニケーションを支援するための補聴機器であって、
マイクロフォンを備える送信部と、
スピーカー及びアンプを備える受信部と、
を具備し、
前記送信部の前記マイクロフォンによって収集される音は無線電波によって前記受信部に送信され、前記アンプによって音量が増幅されたうえで前記スピーカーを通して難聴者に聴取されることを特徴とする補聴機器。
【請求項２】
前記送信部から発信される電波は、周波数の選択が可能なＦＭ電波であることを特徴とする請求項１記載の補聴機器。
【請求項３】
前記送信部は、（１）遮音マット、（２）電源スイッチ、（３）電池残量を示すＬＥＤ、（４）周波数選択のためのチャンネル、（５）アンテナ、（６）前記送信部を覆うインテリアカバー、の設備のうち少なくとも１の設備が設置されていることを特徴とする請求項１又は２記載の補聴機器。
【請求項４】
前記受信部は、（１）電源スイッチ、（２）電池残量を示すＬＥＤ、（３）周波数選択のためのチャンネル、（４）アンテナ、（５）音量調整ダイヤル、（６）前記受信部を覆うインテリアカバーの設備のうち少なくとも１の設備が設置されていることを特徴とする請求項１から３のいずれかに記載の補聴機器。
【請求項５】
前記受信部は、使用時にのみ難聴者が手に持ち耳に当てて音を聞くことを特徴とする請求項１から４のいずれかに記載の補聴機器。
【考案の詳細な説明】
【技術分野】
【０００１】
本考案は、難聴者向けコミュニケーション支援機器に関する。
【背景技術】
【０００２】
マイクロフォンで音を集めて、アンプで音を増幅し、スピーカーで音を発生させる。これを小型化したのが難聴者のための補聴器である。補聴器には、ポケット型のものと直接耳に装着するタイプとが市販されている。最近は、後述の特許文献２に公開されている発明のように、見学者用の音声ガイドを応用した、１対１での無線型の補聴器もある。
【０００３】
ポケット型のものは、箱型ケースと耳穴にはめ込むイヤモールドと呼ばれる樹脂殻から成り、前記箱型ケースをポケット又はベルトに装着する。直接耳に装着するタイプは、耳甲介に掛けたり外耳道に挿入したりする小型のもので、マイクロフォン、アンプ、スピーカーが一体となっている。現在使用されているものはポケット型補聴器が約１０パーセントで、残りの９０パーセントはすべて耳かけ型又は耳穴型となっている。
【先行技術文献】
【特許文献】
【０００４】
【特許文献１】実用新案登録第３０５３８５４号
【特許文献２】特開２００５−３０３９６３号公報
【考案の概要】
【考案が解決しようとする課題】
【０００５】
耳に装着するタイプの補聴器は、高性能・小型化しているが、ハウリングなどのノイズが入ったりして、難聴者は常時装着することを拒む傾向がある。また、小型であるため紛失や電池交換の煩わしさから、使用されなくなるケースもある。
【０００６】
上記小型化が行われる以前には、特許文献１に開示されている発明のように、１台の器具にマイクロフォン、アンプ及びスピーカーを備え、携帯電話のように耳に当てて使用する補聴器もあったが、この種のタイプは、重度の難聴者が離れた場所の音声を聞きとるには適さない。
【０００７】
さらに、特許文献２に開示の発明は、講演会やセミナーにおいて使用することを前提とした難聴者支援システムである。同システムは、難聴者によって携帯される補聴受信機と、講師等に近接して設けられたマイク切替送信機とを無線で結ぶことにより、難聴者の講演会等への参加を支援するものであるが、このシステムは１対１のコミュニケーションを前提としており、友人の輪の中や家族団欒での使用には適さない。
【０００８】
上述のもの以外に、友人の輪の中や家族団欒での使用を目的とした適当な支援機器がないため、１対多数の状況において難聴者が会話に入ることができずに孤立したり、円滑なコミュニケーションができなかったりすることがある。１対１の会話の場合は相手からも気を使ってもらえるが、複数人の会話においては難しい。しかしながら、このような孤立しがちな難聴者、特に高齢者にとっては、周囲と会話を交わすことが生き甲斐に繋がるため、支援の必要性は大きい。
【０００９】
これらの問題を解決すべく、本考案においては、難聴者が友人の輪の中や家族団欒のような１対多数の状況において、会話の内容をしっかりと理解して円滑なコミュニケーションが図れるようにするため、集団参加型の補聴支援機器を提供することを課題とする。また、同補聴支援機器は、団欒の中での難聴者の装着に関する煩わしさを軽減するため、常時装着型ではなく難聴者自身の判断で使用できるタイプの補聴支援機器を提供することも課題とする。
【課題を解決するための手段】
【００１０】
上記課題を解決するため本考案に係る難聴者向けコミュニケーション支援機器は、マイクロフォンを備えた送信部と、アンプ及びスピーカーを備えた受信部からなり、両部ともプラスチックカバーで被覆されている。但し、充電用の乾電池を用いた時には、他に充電システムが必要になる。
【００１１】
送信部のマイクロフォンによって収集される音は無線電波によって受信部に送信され、アンプによって音量が増幅されたうえで、スピーカーを通して難聴者に聴取される
【００１２】
送信部と受信部を結ぶ電波は、周波数の選択が可能なＦＭ電波であることが望ましく、送信部と受信部には、それぞれ、電源スイッチ、電池残量を示すＬＥＤ、周波数選択のためのチャンネル及びアンテナが設置されている。受信部の電源スイッチは、電池の消耗を防ぐため、使用時に自動的にオンになるようになっている。また、送信部には高感度マイクロフォンが用いられるため、底面に吸音材を使用した遮音マットを設けて音を遮断するようにしてある。
【００１３】
本支援機器は友人の輪の中や家族団欒において使用することを目的としているので、送信部はテーブルの中央に置くことを想定しおり、そのため装飾用のインテリアカバーを、何種類か準備しておくこともできる。他方、受信部については常時装着ではなく、難聴者の手元に置き、自分の意志で手に持ち、耳に当てて会話を聞き取れるようになっており、高齢者でも持ち易く、軽量で扱いやすい構造となっている。
【考案の効果】
【００１４】
常時補聴器を耳に装着する煩わしさから解放され、リラックスした雰囲気の中で、自身の判断により補聴支援機器を使用できるようになる。
【００１５】
本支援機器を使うことで、周囲も気兼ねなく会話ができ、難聴者本人も、自分の意志で会話に参加できるようになる。
【００１６】
孤立しがちな難聴者、特に高齢者が、気軽に周囲と会話を交わすことが可能となり、生き甲斐を持てるようになる。
【図面の簡単な説明】
【００１７】
【図１】本支援機器の実施形態の一例を示す概念図である。
【図２】本実施形態における送信部の斜視図である。
【図３】本実施形態における受信部の斜視図である。
【考案を実施するための形態】
【００１８】
以下、本考案の実施形態の１例を図面を参照して説明する。
【００１９】
本考案に係る難聴者支援機器は、マイクロフォン１１を備えた送信部１（図２）と、スピーカー２３及びアンプ（不図示）を備えた受信部２（図３）によって構成され、両部ともプラスチックカバーで被覆されている。本機器は、難聴者が友人の輪の中や家族団欒のような１対多数の状況で使用することを前提としているため、図１に示すように、送信部１はテーブルの中央に置く。他方、受信部２は難聴者の手元に置き、必要な時に使用できるようになっている。但し、充電用の乾電池を用いた時には、他に充電システムが必要になる。
【００２０】
同じく図１に示すように、家族や友人の声はテーブルに置かれた送信部１のマイクロフォン１１によって収集され、無線電波によって受信部２に送信される。受信部２で受信された電波（音声）はアンプによって音量が増幅されたうえで、スピーカー２３を通して難聴者に聴取される。
【００２１】
本実施例においては、送信部１と受信部２を結ぶ電波は、周波数の選択が可能なＦＭ電波を使用し、送信部１と受信部２には、周波数選択のためのチャンネル（不図示）が設置されている。電波の範囲は、５ｍ四方程度で十分である。
【００２２】
また、このほか送信部１には電源スイッチ１２、電池残量を示すＬＥＤ１３、アンテナ（不図示）が、受信部２には電池残量を示すＬＥＤ２１、アンテナ（不図示）、音量調節ダイヤル２２が設置されている。受信部２の電源は電池の消耗を防ぐため、使用時に自動的にオンになるようになっている。また、送信部１に使用されるマイクロフォン１１は高感度であるため、送信部１の底面には吸音材を使用した樹脂製の遮音マット１４を設けている。
【００２３】
本実施例においては、送信部１はテーブルに置くので装飾性を考慮し、図１に示すようにインテリアカバーで被覆する。インテリアカバーは何種類か準備しておくことも可能である。他方、受信部２については、図３に示すとおり、指に挟みこむように突起を有しており、高齢者でも持ち易く軽量で、耳にやさしく当てられる構造としている。また、難聴の程度や周囲の雑音等を考慮し、スピーカー２３の音量を調節することができるダイヤル２２を具備する。
【００２４】
本考案の有する多くの特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特に送信部及び受信部の形状、大きさ及び部品の配置・数等を変更しての実施が可能である。
【符号の説明】
【００２５】
１      送信部
１１    マイクロフォン
１２    電源スイッチ
１３    ＬＥＤ
１４    遮音マット
２      受信部
２１    ＬＥＤ
２２    音量調節ダイヤル
２３    スピーカー
【図１】
0003188273.tif 000003
【図２】
0003188273.tif 000004
【図３】
0003188273.tif 000005
【手続補正書】
【提出日】平成25年10月30日(2013.10.30)
【手続補正１】
【補正対象書類名】実用新案登録請求の範囲
【補正対象項目名】請求項５
【補正方法】変更
【補正の内容】
【請求項５】
前記受信部は、一端に突起部を、他端にスピーカーを、有し、難聴者が前記突起部を指間に挟んで前記受信部全体を掌に載せ、前記スピーカーを耳に当てて音を聞くことを特徴とする請求項１から４のいずれかに記載の補聴機器。